(57)【特許請求の範囲】
【請求項１】
親局の通信局と複数の子局の通信局とをディジタル中継網を介して接続し、前記親局の通信局と前記ディジタル中継網との間を前記複数の子局の通信局に対するフレームを多重化したマルチフレーム構成として伝送し、前記ディジタル中継網と前記各子局の通信局との間を各子局の通信局対応のフレーム構成として伝送する伝送制御システムに於いて、
前記親局の通信局は、前記マルチフレームの前記子局対応のフレーム位置のステータスビットにより前記子局に対する制御指示を行う伝送装置を備え、
前記子局の通信局は、前記ステータスビットを監視して、該ステータスビットによる制御指示に従った折り返しループ形成、ドロップ処理を行うと共に前記親局に対して前記ステータスビットにより応答する伝送装置を備えた
ことを特徴とする伝送制御システム。
【請求項２】
親局の通信局と複数の子局の通信局とをディジタル中継網を介して接続し、前記親局の通信局と前記ディジタル中継網との間を前記複数の子局の通信局に対するフレームを多重化したマルチフレーム構成として伝送し、前記ディジタル中継網と前記各子局の通信局との間を各子局の通信局対応のフレーム構成として伝送する伝送制御システムに於いて、
前記親局の通信局は、前記マルチフレームのフォーマットの未使用領域内のビット位置と前記子局とを対応付けて、該子局と対応付けたビットにより前記子局に対する制御指示を行う伝送装置を備え、
前記子局の通信局は、前記マルチフレームのフォーマットの未使用領域内の自子局割り当て位置のビットを監視して、該ビットによる制御指示に従った折り返しループ形成、ドロップ処理を行うと共に前記親局に対して前記ビットにより応答する伝送装置を備えた
ことを特徴とする伝送制御システム。
【請求項３】
親局の通信局と複数の子局の通信局とをディジタル中継網を介して接続し、前記親局の通信局と前記ディジタル中継網との間を前記複数の子局の通信局に対するフレームを多重化したマルチフレーム構成として伝送し、前記ディジタル中継網と前記各子局の通信局との間を各子局の通信局対応のフレーム構成として、前記親局の通信局と前記子局の通信局との間で伝送制御する伝送制御方法に於いて、
前記親局の通信局から、前記マルチフレームの前記子局対応のフレーム位置のステータスビットにより前記子局に対する制御指示を行う制御過程と、
前記子局の通信局は、前記ステータスビットを監視して、該ステータスビットによる制御指示に従った折り返しループ形成、ドロップ処理を行うと共に前記親局に対して前記ステータスビットにより応答する制御過程とを
含むことを特徴とする伝送制御方法。
【請求項４】
親局の通信局と複数の子局の通信局とをディジタル中継網を介して接続し、前記親局の通信局と前記ディジタル中継網との間を前記複数の子局の通信局に対するフレームを多重化したマルチフレーム構成として伝送し、前記ディジタル中継網と前記各子局の通信局との間を各子局の通信局対応のフレーム構成として、前記親局の通信局と前記子局の通信局との間で伝送制御する伝送制御方法に於いて、
前記親局の通信局から、前記マルチフレームのフォーマットの未使用領域内のビット位置と前記子局とを対応付けて、該子局と対応付けたビットにより前記子局に対する制御指示を行う制御過程と、
前記子局の通信局は、前記マルチフレームのフォーマットの未使用領域内の自子局割り当て位置のビットを監視して、該ビットによる制御指示に従った折り返しループ形成、ドロップ処理を行うと共に前記親局に対して前記ビットにより応答する制御過程とを
含むことを特徴とする伝送制御方法。
【発明の詳細な説明】
【技術分野】
【０００１】
本発明は、中継網を介して複数の通信局間を接続し、中継網を介して各種のデータを伝送し、中継網を介して接続された通信局間の正常性確認等の試験が可能の伝送制御システム及び伝送制御方法に関する。
【背景技術】
【０００２】
複数の伝送装置を、伝送路を介して接続した伝送制御システムに於いて、システム立上げ時や伝送装置の増設時等に於いて、正常性確認の試験を行う場合が一般的である。例えば、図６に示すように、それぞれ制御端末３２−１，３２−２と、監視制御網３３−１，３３−２と、伝送装置３４−１，３４−２とを含む構成の通信局３１−１，３１−２間を、ＨＳＤ（Ｈｉｇｈ  Ｓｐｅｅｄ  Ｄｉｇｉｔａｌ）回線とディジタル中継網３５とを介して接続した伝送制御システムが知られており、伝送装置３４−１，３４−２は、Ａ／Ｄ変換及びＤ／Ａ変換手段を含み、ディジタル中継網３５を介してディジタル信号の伝送を行うもので、このような伝送制御システムに於いて、例えば、通信局３１−１，３１−２間で回線試験を行う場合、通信局３１−１は、制御端末３２−１から伝送装置３４−１に監視制御網３３−１を介して試験パターンをドロップしてチェックするＤＲＯＰ設定を指示し、通信局３１−２は、制御端末３２−２から伝送装置３４−２に監視制御網３３−２を介して折り返しを行うＬ００Ｐ動作を指示する。
【０００３】
次に、通信局３１−１の制御端末３２−１から監視制御網３３−１を介して伝送装置３４−１にランダム試験パターンを挿入送出するＩＮＳ設定を指示する。このＩＮＳ指示によりランダム試験パターンを伝送装置３４−１からディジタル中継網３５を介して伝送装置３４−２に伝送する。伝送装置３４−２は、ＬＯＯＰ動作指示によりランダム試験パターンを、伝送装置３４−１に折り返して送出する。伝送装置３４−１は、ＤＲＯＰ設定により、試験パターンをドロップしてチェックを行い、正常性の確認を行う。確認後、制御端末３２−１から伝送装置３４−１に対して、試験パターン挿入を停止するＩＮＳ解除を指示し、次に、制御端末３２−２から伝送装置３４−２に対してＬＯＯＰ解除を指示し、次に制御端末３２−１から伝送装置３４−１にＤＲＯＰ解除を指示する。それにより、折り返し試験が正常に終了すると、伝送装置３４−１，３４−２間で伝送開始が行われる。
【０００４】
しかし、伝送装置３４−１，３４−２は、それぞれの制御端末３２−１，３２−２により、試験パターンの挿入送出、折り返しループ形成を行うものであるから、相互の試験手順のミスにより、ループ形成が完了しない状態で試験パターンを送出する場合が発生すると、アナログ回線側へ試験パターンが送出され、異常信号送出となる問題がある。そこで、図７に示すように、それぞれディジタル中継網４２を介して接続された伝送装置４１−１，４１−２に対して、集中管理を行うオペレーションシステム４３を設け、監視制御網４４を介して伝送装置４１−１，４１−２に対して、オペレーションシステム４３からそれぞれ試験指示を行う伝送制御システムが知られている。この場合、伝送装置４１−１を伝送装置Ａ、伝送装置４１−２を伝送装置Ｂとして、試験手順の要約を１．〜８．として示すと、１．伝送装置Ａのアナログ入出力側開放を確認、２．ＯＰＳ（オペレーションシステム）上で、対向伝送装置がＢであることを確認、３．対向伝送装置ＢのＬＯＯＰ制御、４．伝送装置ＢでＬＯＯＰが実施されたことを確認、５．伝送装置Ａ試験信号挿入、６．伝送装置Ａ試験信号ＣＨＥＣＫ、７．伝送装置ＢのＬＯＯＰ解除、８．伝送装置Ａに試験信号ＣＨＥＣＫを解除、の指示を送出する。このシステムに於けるオペレーションシステム４３は、大規模のサーバにより構成するもので、コストアップとなる。
【０００５】
又ＨＤＬＣ（Ｈｉｇｈ−ｌｅｖｅｌ  Ｄａｔａ  Ｌｉｎｋ  Ｃｏｎｔｒｏｌ）手順による伝送システムに於いて、フレーム送信命令に、折り返し指示ビットを設け、この折り返し指示ビットにより、フレームを折り返す自局内折り返しの手段が知られている（例えば、特許文献１参照）。又試験信号検出手段によりオール“１”の試験信号を検出している期間は、折り返し試験信号を挿入して正常性を試験するループバック試験方法も提案されている（例えば、特許文献２参照）。又ＭＡＣフレームの送信先物理アドレスＤＡ、送信元物理アドレスＳＡ、ＬＬＣフレームの送信先論理アドレスＤＳＡＰ、送信元論理アドレスＳＳＡＰ及びフレーム種別データＣＮＴを利用して、他のフレームを指定し、それにより指定された通信制御部に於いて折り返す制御手段も提案されている（例えば、特許文献３参照）。
【０００６】
又ＨＳＤ回線を介して接続した伝送装置間で、６４マルチフレーム構成のＨＳＤフレーム伝送を行い、伝送装置とコンバータを介してユーザネットワークとを接続し、コンバータによりＨＳＤフレームとパケットとの変換を行う伝送制御システムに於いて、マルチフレームの中のステータス情報中のＬＯＯＰ２ビット（“１”）により折り返しループを形成することを指示し、伝送装置からコンバータにはＬＯＯＰ２パケットを送出し、コンバータは、これを検出して、伝送装置側への折り返しループを形成し、且つこのコンバータに伝送装置を介して対向する相手側のコンバータに折り返しループ形成中を通知する手段が知られている（例えば、特許文献４参照）。
【０００７】
又一方と他方との伝送装置間でフレーム伝送を行う伝送システムに於いて、一方の伝送装置は、ＭＡＣ（Ｍｅｄｉａ  Ａｃｃｅｓｓ  Ｃｏｎｔｒｏｌ）フレームの特定の領域に特定のコードを割り当てたループ制御要求フレームを、他方の伝送装置に送信し、ループ制御フレームを受信した伝送装置は、折り返しループを形成して、ループ制御応答フレームを返送し、一方の伝送装置は、ループ制御応答フレームを受信して、他方の伝送装置に試験フレームを送信し、折り返しループにより返送された試験フレームをチェックして正常か否かを判定し、その後、一方の伝送装置から他方の伝送装置へループ解除要求フレームを送信することにより、他方の伝送装置の折り返しループを元に戻して、ループ解除応答フレームを送信する手段が提案されている（例えば、特許文献５参照）。
【特許文献１】特開昭５４−３９５３３号公報
【特許文献２】特開昭５６−９１５４９号公報
【特許文献３】特開平６−１２１００５号公報
【特許文献４】特開２００３−１４３２２７号公報
【特許文献５】特開２００５−２０３９１４号公報
【発明の開示】
【発明が解決しようとする課題】
【０００８】
複数の伝送装置間を接続した伝送システムに於いて、前述のように、正常性の確認や障害発生時の切り分け等の為に、伝送装置間で折り返し試験を行う手段を設ける場合が一般的であり、その場合の折り返し試験の制御手順のミス等により、伝送装置から折り返し試験ルート以外の端末装置側へ送出されると、異常データ伝送となり、障害発生と誤認される問題がある。そこで、制御手順を、例えば、図７に示すような大規模サーバ等によるオペレーションシステム４３を設けることにより、集中管理する手段が考えられるが、正常性試験の為としてのコストアップとなる問題がある。
【０００９】
又伝送制御システムとして、例えば、親局としての通信局から複数の子局としての通信局に対して、ディジタル中継網を介して同報通信する場合、親局と、親局から指定した子局との通信装置間で折り返しループ形成による正常性確認等の試験を行う場合、指定以外の子局の通信装置は正常な通信を継続可能とすることが必要である。しかし、前述の従来の技術では集中管理する大規模サーバ等による制御による場合が可能となるとしても、システムのコストアップが非常に大きくなる問題がある。
【００１０】
本発明は、前述の従来の問題点を解決するもので、親局としての通信局から複数の子局としての通信局に対してマルチフレーム構成で同報通信するシステムに於いて、指定した子局に対してのみ折り返し試験を実行し、他の子局に対する正常な通信状態を維持させることを目的とするものである。
【課題を解決するための手段】
【００１１】
本発明の伝送制御システムは、親局の通信局と複数の子局の通信局とをディジタル中継網を介して接続し、親局の通信局とディジタル中継網との間を、複数の子局の通信局に対するフレームを多重化したマルチフレーム構成として伝送し、ディジタル中継網と各子局の通信局との間を各子局の通信局対応のフレーム構成として伝送する伝送制御システムであって、親局の通信局は、マルチフレームの子局対応のフレーム位置のステータスビットにより、子局に対する制御指示を行う伝送装置を備え、子局の通信局は、ステータスビットを監視して、該ステータスビットによる制御指示に従った折り返しループ形成、ドロップ処理を行うと共に前記親局に対して、ステータスビットにより応答する伝送装置を備えている。
【００１２】
又親局の通信局と複数の子局の通信局とをディジタル中継網を介して接続し、親局の通信局とディジタル中継網との間を、複数の子局の通信局に対するフレームを多重化したマルチフレーム構成として伝送し、ディジタル中継網と各子局の通信局との間を各子局の通信局対応のフレーム構成として伝送する伝送制御システムであって、親局の通信局は、マルチフレームのフォーマットの未使用領域内のビット位置と子局とを対応付けて、該子局と対応付けたビットにより、子局に対する制御指示を行う伝送装置を備え、子局の通信局は、マルチフレームのフォーマットの未使用領域内の自子局割り当て位置のビットを監視して、該ビットによる制御指示に従った折り返しループ形成、ドロップ処理を行うと共に親局に対して前記ビットにより応答する伝送装置を備えている。
【００１３】
又本発明の伝送制御方法は、親局の通信局と複数の子局の通信局とをディジタル中継網を介して接続し、親局の通信局とディジタル中継網との間を、複数の子局の通信局に対するフレームを多重化したマルチフレーム構成として伝送し、ディジタル中継網と各子局の通信局との間を各子局の通信局対応のフレーム構成として、親局の通信局と子局の通信局との間で伝送制御する伝送制御方法であって、親局の通信局から、マルチフレームの子局対応のフレーム位置のステータスビットにより、子局に対する制御指示を行う制御過程と、子局の通信局は、ステータスビットを監視して、該ステータスビットによる制御指示に従った折り返しループ形成、ドロップ処理を行うと共に前記親局に対して、前記ステータスビットにより応答する制御過程とを含むものである。
【００１４】
又親局の通信局と複数の子局の通信局とをディジタル中継網を介して接続し、親局の通信局とディジタル中継網との間を、複数の子局の通信局に対するフレームを多重化したマルチフレーム構成として伝送し、ディジタル中継網と各子局の通信局との間を、各子局の通信局対応のフレーム構成として、親局の通信局と子局の通信局との間で伝送制御する伝送制御方法であって、親局の通信局から、マルチフレームのフォーマットの未使用領域内のビット位置と子局とを対応付けて、該子局と対応付けたビットにより、子局に対する制御指示を行う制御過程と、子局の通信局は、マルチフレームのフォーマットの未使用領域内の自子局割り当て位置のビットを監視して、該ビットによる制御指示に従った折り返しループ形成、ドロップ処理を行うと共に、親局に対して前記ビットにより応答する制御過程とを含むものである。
【発明の効果】
【００１５】
ステータスビット位置又はマルチフレームの未使用領域を利用して、複数の子局と対応付けたビットにより、親局の通信局から子局の通信局を指定して、折り返しループ形成やドロップ処理等の試験指示を行い、且つその指示に従った処理に応じた応答を親局の通信局で確認してから、試験データの伝送等を行うことにより、子局からのアナログ回線に試験データ等の不要な信号が送出されることを確実に阻止し、大規模サーバ等を設置することなく、子局の通信局の正常性確認等の試験処理を実行できる利点がある。
【発明を実施するための最良の形態】
【００１６】
本発明の伝送制御システムは、図１を参照して説明すると、親局の通信局１と複数の子局の通信局２−１〜２−３とをディジタル中継網７を介して接続し、親局の通信局１とディジタル中継網７との間を、複数の子局の通信局２−１〜２−３に対するフレームを多重化したマルチフレーム構成として伝送し、ディジタル中継網７と各子局の通信局２−１〜２−３との間を各子局の通信局対応のフレーム構成として伝送する伝送制御システムであって、親局の通信局１は、マルチフレームの子局対応のフレーム位置のステータスビットにより、子局に対する制御指示を行う伝送装置３を備え、子局の通信局２−１〜２−３は、ステータスビットを監視して、該ステータスビットによる制御指示に従った折り返しループ形成、ドロップ処理を行うと共に前記親局に対して、ステータスビットにより応答する伝送装置５−１〜５−３を備えている。
【００１７】
又本発明の伝送制御方法は、親局の通信局１と複数の子局の通信局２−１〜２−３とをディジタル中継網７を介して接続し、親局の通信局１とディジタル中継網７との間を、複数の子局の通信局２−１〜２−３に対するフレームを多重化したマルチフレーム構成として伝送し、ディジタル中継網７と各子局の通信局２−１〜２−３との間を各子局の通信局対応のフレーム構成として、親局の通信局１と子局の通信局２−１〜２−３との間で伝送制御する伝送制御方法であって、親局の通信局１から、マルチフレームの子局対応のフレーム位置のステータスビットにより、子局に対する制御指示を行う制御過程と、子局の通信局２−１〜２−３は、ステータスビットを監視して、該ステータスビットによる制御指示に従った折り返しループ形成、ドロップ処理を行うと共に前記親局に対して、前記ステータスビットにより応答する制御過程とを含むものである。
【実施例１】
【００１８】
図１は、本発明の実施例１の伝送制御システムの説明図であり、１は親局の通信局、２−１，２−２，２−３は子局の通信局、３，５−１，５−２，５−３は伝送装置、４，６−１，６−２，６−３は端末装置、７はディジタル中継網を示す。端末装置４，６−１〜６−３はアナログ信号を処理する機能を有するもので、伝送装置３，５−１〜５−３との間はアナログ回線により接続されている。又伝送装置３は、Ａ／Ｄ変換及びＤ／Ａ変換手段と、マルチフレーム送受信処理手段、折り返し試験等の試験制御手段とを含み、伝送装置５−１〜５−３は、Ａ／Ｄ変換及びＤ／Ａ変換手段とフレーム送受信手段と、折り返し試験等を実行する試験制御手段とを含むもので、ディジタル中継網７を介してＨＳＤ回線により接続されている。このディジタル中継網７は、伝送装置間の専用線中継網を構成すると共に、伝送装置３からのマルチフレームのデータを、伝送装置５−１〜５−３対応のフレームとして分配送出する構成及び伝送装置５−１〜５−３からのフレームを多重化して伝送装置３に送出する構成を含むものである。又伝送装置３とディジタル中継網７との間のＨＳＤ（Ｈｉｇｈ  Ｓｐｅｅｄ  Ｄｉｇｉｔａｌ）回線を、例えば６Ｍｂｐｓの伝送速度とし、ディジタル中継網７と各伝送装置５−１〜５−３との間のＨＳＤ回線を、例えば３８４ｋｂｐｓの伝送速度とする。なお、子局の通信局２−１〜２−３は、３局の場合を図示しているが、実際には、更に多数設置されるものである。
【００１９】
親局の通信局１の伝送装置３は、端末装置４からのアナログ信号をディジタル信号に変換し、且つディジタル中継網７を介して接続された子局の通信局２−１〜２−３に対して送信するそれぞれ同一のディジタル信号として複製し、通信局２−１〜２−３対応のフレームをマルチフレーム構成として、ディジタル中継網７に送出する。ディジタル中継網７は、マルチフレームを、子局２−１〜２−３の伝送装置５−１〜５−３対応に分離して中継送出する。例えば、伝送装置３からａ，ｂ，ｃで示すマルチフレームのデータを、伝送装置５−１〜５−３対応のフレームａ，ｂ，ｃにそれぞれ分離して送出する。又伝送装置５−１〜５−３からのフレームｄ，ｅ，ｆを多重化したマルチフレーム構成で、伝送装置３に送出する。
【００２０】
親局の通信局１は、一斉同報通信データを子局の通信局２−１〜２−３に対して、マルチフレーム構成としてＨＳＤ回線により送信する。ディジタル中継網７は、通信局１からのマルチフレームを子局対応のフレームに分離して、各子局の通信局２−１〜２−３対応の伝送装置５−１〜５−３にＨＳＤ回線を介して送信する。例えば、各子局を各地に分散配置したラジオ放送設備とし、親局を放送元として、親局の通信局１からＨＳＤ回線とディジタル中継網７とを介してラジオ放送ディジタルデータを送信し、ディジタル中継網７により各子局対応のフレームに分離してＨＳＤ回線を介して子局の通信局２−１〜２−３に送信する。各子局の通信局２−１〜２−３に於いては、受信した放送ディジタルデータをアナログ信号に変換して、図示していない無線送信機から同一内容のラジオ放送を行う放送システムを構成することができる。このような放送システムを含む各種のマルチフレーム伝送システムに於いて、増設した通信局の運用開始前の正常性の確認や、運用状態になっている通信局に於ける放送休止時間内の正常性の確認等を実行する場合、試験データがアナログ回線側に漏出しないようにして、折り返し試験等を行うもので、マルチフレームのステータスビットや未使用ビット等を利用して、各種試験の指示及びその指示に従った処理結果の応答を行うものである。
【００２１】
図２は、フレーム構成の説明図であり、（Ａ）はタイムスロットＴＳ１〜ＴＳ９８と同期ビットＦとを示し、各タイムスロットは８ビット構成であり、又同期ビットＦは５ビット構成であって、合計で７８９ビット構成とした場合を示す。又タイムスロットＴＳ９７，ＴＳ９８は、それぞれ＃１〜＃４のＳ１〜Ｓ４として示すように合計１６ビット構成のＳＴ（ステータス）ビットであり、又同期ビットＦは、拡大して示すように、Ｆ１〜Ｆ５の５ビット構成で、マルチフレームＭＦ番号（ＭＦＮｏ）１〜４対応のパターンを有するものである。又（Ｂ）は主信号チャネルとタイムスロットＴＳとの関係を示すもので、１チャネルは、６タイムスロットＴＳにより構成され、主信号部分は、１〜９０タイムスロットを用いた１５チャネル分（項（１）〜（１５））として配置された場合を示す。
【００２２】
図３は、図１に示す伝送装置３，５−１〜５−３のそれぞれの要部を示すもので、２１は伝送装置、２２はアナログ／ディジタル変換部、２３はディジタル／アナログ変換部、２４はディジタル処理部、２５はＨＳＤフレーム終端部、２６は試験制御部、２７は複製処理部、２８は選択処理部、２９は試験機能部を示す。アナログ回線からのアナログ信号を、アナログ／ディジタル変換部２２によりディジタル信号に変換してディジタル処理部２４に転送し、又ディジタル処理部２４からのディジタル信号を、ディジタル／アナログ変換部２３によりアナログ信号に変換してアナログ回線に送出する。
【００２３】
又ディジタル処理部２４の複製処理部２７は、親局の通信局１の伝送装置３（図１参照）に於いては、ディジタル信号を子局対応に複製してマルチフレームを構成する機能を含み、子局の通信局２−１〜２−３の伝送装置５−１〜５−３に於いては、子局対応のフレーム受信を行うから、複製処理部２１の機能を含まないことになる。又試験機能部２９は、試験制御部２６により制御されて、親局の伝送装置３側では、折り返し指示、折り返し復旧指示、折り返し試験データのチェック等を行う機能を含み、子局の伝送装置５−１〜５−３側では、折り返し指示に従って折り返しループを形成し、折り返し復旧指示に従って、正常伝送状態に復帰し、又ドロップ指示等のそれぞれの制御指示に従った処理結果の応答送出等を行う機能を含むものである。又ＨＳＤフレーム終端部２５は、ＨＳＤ回線とディジタル処理部２４との間のインタフェース機能と、試験制御部２６との間で必要なデータ等の転送処理を行う機能とを含むものである。
【００２４】
例えば、図１に於いて、親局の通信局１と、子局の通信局２−２，２−３との間で運用中に、子局の通信局２−１を新たにディジタル中継網７にＨＳＤ回線を介して接続した場合、親局の通信局１と子局の通信局２−１との間で正常な通信が可能か否かを試験するものであり、親局の伝送装置３から子局の伝送装置５−１に対するフレームのＳＴビット（図２の（Ａ）参照）により折り返しループ形成指示、ドロップ指示、元の状態に復帰する指示等を行い、且つそれぞれの指示内容に対応する処理結果の応答を、ＳＴビットにより伝送装置３に送出する。例えば、ＳＴビットのＳ２ビットを“１”としてループ形成指示、Ｓ３ビットを“１”としてドロップ指示、それぞれ“０”として、復旧指示とすることができる。又ＳＴビットのＳ４ビットを“１”としてインサート状態表示とし、試験信号挿入状態を通知することができる。
【００２５】
従って、ＳＴビットを例えば伝送装置２１の試験制御部２６に於いて常時監視し、親局の通信局１から子局の通信局２−１〜２−３に対する正常性試験等を、子局に割り当てたフレームのＳＴビットのＳ２ビットを“１”として、折り返しループ形成指示を行うことにより、試験制御部２６から試験機能部２９を制御して折り返しループを形成し、ＨＳＤ回線からのディジタル信号を変換したアナログ信号がアナログ回線に漏出しないように制御すると共に、ＳＴビットを“１”として、親局の通信局１に対して折り返しループ形成応答を送出することができる。同様に、ドロップ指示やそれぞれの復旧指示に従った処理を行い、親局の通信局１へ応答することができる。
【実施例２】
【００２６】
図４及び図５は、本発明の実施例２のマルチフレームの説明図であり、６４マルチフレームについてＭＦＮｏ１〜６４として縦軸方向に示す。又ＦＳはマルチフレーム同期ビットを示し、括弧をつけた（ＦＳ）は受信側では無視する同期ビットを示す。又マルチフレーム番号（ＭＦＮｏ）５０〜５５（図５参照）は、現在未使用のビットであり、これらを利用し、丸付き数字の１〜１５にそれぞれ付加した−１〜−６で示す合計９０ビットを選択して、“１”として折り返しループ形成を指示し、“０”として折り返しループ解除を指示することができる。折り返しループ形成を指示された伝送装置は、折り返しループを形成し、指示されたビット位置に対応するビットを“１”として応答することができる。それにより、親局の通信局１から指定した子局の通信局２−１〜２−３の何れかに対応するマルチフレーム番号（ＭＦＮｏ）５０〜５５のビット位置により、正常性試験の為の折り返しループ形成の指示や解除の指示を行うことができる。又子局の通信局２−１〜２−３は、親局の通信局１からの指示ビットに対応するビットにより応答を送出することができる。
【００２７】
又マルチフレーム番号（ＭＦＮｏ）４２〜４７は、ＴＲＡＣＥと称される領域であり、前述のマルチフレーム番号（ＭＨＮｏ）５０〜５５と同様に、その領域内のビット位置と子局の通信局２−１〜２−３（図１参照）とを対応付けて、親局の通信局１から子局の通信局２−１〜２−３を選択指定し、折り返しループ形成指示、復旧指示、ドロップ指示等を行うと共に、親局の通信局１に対する応答を行うことができる。
【００２８】
又マルチフレーム番号（ＭＦＮｏ）５８〜６３は、ＵＮＲと称される領域であり、前述と同様に、その領域内のビット位置と子局の通信局２−１〜２−３とを対応付けて、親局の通信局１から子局の通信局２−１〜２−３を選択指定し、折り返しループ形成指示、復旧指示、ドロップ指示を行うと共に、親局の通信局１に対する応答を行うことができる。従って、大規模サーバ等を設けることなく、親局の通信局１から子局の通信局２−１〜２−３を選択指定して、正常性の試験を行うことができる。
【図面の簡単な説明】
【００２９】
【図１】本発明の実施例１の伝送制御システムの説明図である。
【図２】本発明の実施例１のフレームフォーマットの説明図である。
【図３】本発明の実施例１の伝送装置の説明図である。
【図４】本発明の実施例２のマルチフレームフォーマットの説明図である。
【図５】本発明の実施例２のマルチフレームフォーマットの説明図である。
【図６】従来例の折り返しループ形成の説明図である。
【図７】従来例の折り返しループ形成の説明図である。
【符号の説明】
【００３０】
１  親局の通信局
２−２〜２−３  子局の通信局
３，５−１〜５−３  伝送装置
４，６−１〜６−３  端末装置
７  ディジタル中継網
２１  伝送装置
２２  アナログ／ディジタル変換部
２３  ディジタル／アナログ変換部
２４  ディジタル処理部
２５  ＨＳＤフレーム終端部
２６  試験制御部
２７  複製処理部
２８  選択処理部
２９  試験機能部
【図１】
0004589985.tif 000002
【図２】
0004589985.tif 000003
【図３】
0004589985.tif 000004
【図４】
0004589985.tif 000005
【図５】
0004589985.tif 000006
【図６】
0004589985.tif 000007
【図７】
0004589985.tif 000008